(57)【要約】      （修正有）【課題】小型で場所をとらない薄型撮像装置に適したレンズ交換機構を実現する。【解決手段】カメラにロック可能な薄型（Ｌｌｏｗ  ｐｒｏｆｉｌｅ）のポジティブロック式カメラ構成要素２２４であって、中央開口を有する静止プレート２４８と、静止プレートによって担持されるロックリング２４６と、ロックリングに連結される少なくとも２つの突出部２３８〜２４０とを備え、ロックリングが回転すると、突出部は構成要素の中心軸を中心に回転し、さらに軸に沿って静止プレートの方向に進む、ポジティブロック式カメラ構成要素。【選択図】図２Ａ
2018185538.tif 000002
【特許請求の範囲】
【請求項１】
ロック可能であり、カメラから着脱可能な薄型ポジティブロック式カメラ構成要素であって、
中央開口を有する静止プレートと、
前記静止プレートによって担持される回転可能なロックリングと、
前記ロックリングに連結され、前記カメラ構成要素のレンズサイドの反対側である前記カメラ構成要素のカメラサイド上で担持される、少なくとも２つの回転可能な突出部と
を備え、
前記ロックリングが回転すると、前記突出部は中心軸を中心に回転し、さらに、前記軸に沿って前記静止プレートの方向に進む、
薄型ポジティブロック式カメラ構成要素。
【請求項２】
前記静止プレートは電話機ハウジングの一部分である、請求項１に記載の薄型ポジティブロック式カメラ構成要素。
【請求項３】
前記突出部はそれぞれ、前記静止プレートの押圧面に平行に配置され、かつ前記静止プレートの押圧面に面する押圧面を有し、前記突出部の前記押圧面は、前記突出部が前記軸に沿って前記静止プレートの前記方向に進むにつれて前記静止プレートとして前記押圧面に近づく、請求項１に記載の薄型ポジティブロック式カメラ構成要素。
【請求項４】
前記カメラ構成要素はカメラレンズである、請求項１に記載の薄型ポジティブロック式カメラ構成要素。
【請求項５】
前記カメラ構成要素はレンズマウントアダプタである、請求項１に記載の薄型ポジティブロック式カメラ構成要素。
【請求項６】
前記静止プレートおよび前記回転可能な突出部は、撮像装置ハウジング上の対応するインターフェースへの前記カメラ構成要素の着脱可能な取り付けを可能にするように構成される、前記レンズマウントアダプタの第１のインターフェースを構成し、前記カメラ構成要素はさらに、前記カメラ構成要素へのカメラレンズの着脱可能な取り付けを可能にするように構成される、前記カメラ構成要素のレンズサイド上に設けられる第２のインターフェースを備える、請求項５に記載の薄型ポジティブロック式カメラ構成要素。
【請求項７】
前記カメラ構成要素は、約２５ミリメートル以下の有効フランジ焦点距離をなす撮像装置のハウジング上の対応する支持体に固着するように構成される、請求項５に記載の薄型ポジティブロック式カメラ構成要素。
【請求項８】
有効フランジ焦点距離は約２０ミリメートル以下である、請求項５に記載の薄型ポジティブロック式カメラ構成要素。
【請求項９】
有効フランジ焦点距離は１８ミリメートルである、請求項５に記載の薄型ポジティブロック式カメラ構成要素。
【請求項１０】
有効フランジ焦点距離は１９．２５ミリメートルである、請求項５に記載の薄型ポジティブロック式カメラ構成要素。
【請求項１１】
第１のマウンティングインターフェースはオス型インターフェースであり、第２のマウンティングインターフェースはメス型インターフェースである、請求項５に記載の薄型ポジティブロック式カメラ構成要素。
【請求項１２】
回転可能な突出部を少なくとも３つ備える、請求項１に記載の薄型ポジティブロック式カメラ構成要素。
【請求項１３】
前記軸の周りで中心が６０度ずつ間隔を空けた６個の回転可能な突出部を備える、請求項１に記載の薄型ポジティブロック式カメラ構成要素。
【請求項１４】
前記軸の周りで中心が９０度ずつ間隔を空けた４個の回転可能な突出部を備える、請求項１に記載の薄型ポジティブロック式カメラ構成要素。
【請求項１５】
前記静止プレート上に突出部を少なくとも２つ備える、請求項１に記載の薄型ポジティブロック式カメラ構成要素。
【請求項１６】
前記静止プレート上に突出部を４個備える、請求項１に記載の薄型ポジティブロック式カメラ構成要素。
【請求項１７】
前記静止プレート上に突出部を６個備える、請求項１に記載の薄型ポジティブロック式カメラ構成要素。
【請求項１８】
前記回転可能な突出部は、前記回転可能な突出部が前記静止プレート上の前記突出部と回転方向に位置合わせされる第１の位置と、前記回転可能な突出部が前記静止プレート上の前記突出部から回転方向にずれている第２の位置との間を移動可能である、請求項１に記載の薄型ポジティブロック式カメラ構成要素。
【請求項１９】
レンズマウントのカメラサイド上の第１の複数の電気接点と、レンズマウントのレンズサイド上の第２の複数の電気接点とを備える、請求項１に記載の薄型ポジティブロック式カメラ構成要素。
【請求項２０】
前記第１の複数の電気接点は前記第２の複数の電気接点とは異なる構成を有する、請求項１９に記載の薄型ポジティブロック式カメラ構成要素。
【請求項２１】
前記ロックリングは前記静止プレートに螺合により結合される、請求項１に記載の薄型ポジティブロック式カメラ構成要素。
【請求項２２】
光学要素を受容するように構成される開口を有する支持体であって、
支持体前面、支持体背面、およびそれらの間の厚さと、
前記支持体前面と支持体背面との間を延びる前記開口の側壁と、
径方向内側に前記側壁から前記開口に延びる少なくとも２つの円弧状フランジであって、各フランジは、前記支持体前面から凹んでいるフランジ前面および前記支持体背面から凹んでいるフランジ背面を有する、円弧状フランジと
を備え、
前記支持体はポジティブロックマウンティングシステムのメス側を形成する、
支持体。
【請求項２３】
前記支持体前面から前記フランジ前面に延びる前記側壁の前方部分によって画定される周縁部を有する、光学要素着座凹部をさらに備える、請求項２２に記載の支持体。
【請求項２４】
前記着座凹部の前記周縁部は、前記光学要素の対応する起伏のある周縁面を収容するように起伏がある、請求項２３に記載の支持体。
【請求項２５】
前記着座凹部の前記周縁部の起伏は、前記開口への前記光学要素の単一角度の挿入を可能にするように構成されるキーイング機能を含む、請求項２３に記載の支持体。
【請求項２６】
前記支持体はカメラの表面を含む、請求項２２に記載の支持体。
【請求項２７】
前記支持体は携帯電話の表面を含む、請求項２２に記載の支持体。
【請求項２８】
前記支持体はレンズマウントアダプタのレンズサイド上に設けられる、請求項２２に記載の支持体。
【請求項２９】
前記支持体は携帯電話機に取り付けるように構成されるプレートを備える、請求項２２に記載の支持体。
【請求項３０】
径方向内側に前記側壁から前記開口に延びる円弧状フランジを少なくとも４個備える、請求項２２に記載の支持体。
【請求項３１】
前記少なくとも４個の円弧状フランジは、前記開口の周縁部に沿ってほぼ等間隔に離間される、請求項３０に記載の支持体。
【請求項３２】
前記光学要素の単一角度の挿入を提供するように構成される前記側壁上に設けられる位置合わせキーイング機能をさらに備える、請求項２２に記載の支持体。
【請求項３３】
光学要素を受容するように構成される開口を有する支持体であって、
支持体前面、支持体背面、およびそれらの間の厚さと、
前記支持体前面と支持体背面との間を延びる前記開口の側壁と、
径方向内側に前記側壁から前記開口に延びる少なくとも２つの円弧状フランジであって、各フランジは、前記支持体前面から凹んでいるフランジ前面および前記支持体背面から凹んでいるフランジ背面を有する、円弧状フランジと
を備え、
前記支持体は、前記支持体への前記光学要素の固着を助けるように構成される回転可能なロッキングリングもばねも含まない、
支持体。
【請求項３４】
前記支持体はバヨネットスタイルマウントを実装しない、請求項３３に記載の支持体。
【請求項３５】
前記支持体はポジティブロックマウントのメス部分を実装する、請求項３３に記載の支持体。
【請求項３６】
ハウジングと、
前記ハウジング内の少なくとも１つのイメージセンサと、
前記ハウジングによって担持され、光学要素を受容するように構成される開口を有する支持体であって、前記ハウジングの外側から放射する光が前記開口を通って進み前記イメージセンサに入射し、前記支持体は、
支持体前面、支持体背面、およびそれらの間の厚さ、
前記支持体前面と支持体背面との間を延びる前記開口の側壁、ならびに
径方向内側に前記側壁から前記開口に延びる少なくとも２つの円弧状フランジを備え、
前記支持体はポジティブロック式マウンティングインターフェースのメス側を形成する、
支持体と
を備える、撮像システム。
【請求項３７】
前記フランジはそれぞれ、前記支持体前面から凹んでいるフランジ前面および前記支持体背面から凹んでいるフランジ背面を有する、請求項３６に記載の撮像システム。
【請求項３８】
前記撮像システムの固有のフランジ焦点距離が約１５ミリメートル以下である、請求項３６に記載の撮像システム。
【請求項３９】
前記撮像システムの固有のフランジ焦点距離が約１０ミリメートル以下である、請求項３６に記載の撮像システム。
【請求項４０】
前記撮像システムの固有のフランジ焦点距離が約８ミリメートルである、請求項３６に記載の撮像システム。
【請求項４１】
前記ポジティブロック式マウンティングインターフェースのオス側を実装し、前記支持体に着脱可能なように取り付けられるように構成される、レンズ構成要素をさらに備える、請求項３６に記載の撮像システム。
【請求項４２】
前記レンズ構成要素はレンズまたはレンズマウントアダプタを備える、請求項４１に記載の撮像システム。
【請求項４３】
前記レンズ構成要素はレンズマウントアダプタを備え、前記レンズ構成要素が前記支持体に取り付けられた状態の前記撮像システムの有効フランジ焦点距離は約２０ｍｍ以下である、請求項４２に記載の撮像システム。
【請求項４４】
ロック可能であり、カメラから着脱可能なレンズマウントアダプタであって、
中央開口の周りを円周方向に延びる回転可能なロックリングと、
前記開口の周りを円周方向に延びるレンズフランジ面であって、前記開口を貫通する中心軸に垂直なレンズフランジ面と、
前記レンズフランジ面に対して移動可能なように装着されるポストと、
前記ロックリングに連結されるボタンと
を備え、
前記ボタンは、前記ロックリングが第１の位置まで回転されるときは前記ポストに係合し、前記ロックリングが前記第１の位置から離れる方に回転されるときは前記ポストから変位する、
レンズマウントアダプタ。
【請求項４５】
前記ボタンと前記ポストとは実矧ぎ継ぎによって互いに係合する、請求項４４に記載のレンズマウントアダプタ。
【請求項４６】
前記ボタンが前記ポストと係合されるときに前記ボタンを作動させると、前記ポストは、前記ポストが前記フランジ面を越えて延びる延在位置から、前記ポストが前記フランジ面を越えて延びない後退位置に移動する、請求項４４に記載のレンズマウントアダプタ。
【請求項４７】
前記ポストはばねに装着され、前記ばねは、前記ボタンが前記延在位置から前記後退位置に移動すると緩んだ状態から圧縮された状態に変化する、請求項４６に記載のレンズマウントアダプタ。
【請求項４８】
前記ロックリングに連結される少なくとも２つの回転可能な突出部をさらに備え、前記ロックリングが回転すると、前記突出部は中心軸を中心に回転し、さらに、前記軸に沿って進む、請求項４４に記載のレンズマウントアダプタ。
【請求項４９】
前記ロックリングに螺合により連結される静止プレートをさらに備え、前記ロックリングが第１の方向に回転すると前記突出部は前記軸に沿って前記静止プレートの方向に進み、前記ロックリングが第２の方向に回転すると前記突出部は前記軸に沿って前記静止プレートから離れる方向に進む、請求項４８に記載のレンズマウントアダプタ。
【請求項５０】
前記レンズマウントアダプタは、撮像装置のハウジング上に設けられる対応する支持体に取り付けられるときに約２５ｍｍ以下の有効フランジ焦点深度を可能にするように構成される、請求項４４に記載のレンズマウントアダプタ。
【請求項５１】
前記レンズマウントアダプタは、撮像装置のハウジング上に設けられる対応する支持体に取り付けられるときに約２０ｍｍ以下の有効フランジ焦点深度を可能にするように構成される、請求項４４に記載のレンズマウントアダプタ。
【請求項５２】
前記レンズマウントアダプタは、撮像装置のハウジング上に設けられる対応する支持体に取り付けられるときに１８ｍｍの有効フランジ焦点深度を可能にするように構成される、請求項４４に記載のレンズマウントアダプタ。
【請求項５３】
前記レンズマウントアダプタは、撮像装置のハウジング上に設けられる対応する支持体に取り付けられるときに１９．２５ｍｍの有効フランジ焦点深度を可能にするように構成される、請求項４４に記載のレンズマウントアダプタ。
【請求項５４】
薄型レンズ構成要素であって、
中央開口の周りを円周方向に延びる回転可能なロックリングと、
前記レンズ構成要素のカメラサイド上に設けられるレンズインターフェースと、
ばねの緩んだ状態にあるときは前記レンズインターフェースの表面から突出する、ばね付きポストと、
機械的に作動可能な制御部と、
を備え、
前記制御部は、前記ロックリングが第１の位置に回転されるときに前記制御部の作動が前記ばね付きポストのばねの力を突破して前記ポストが後退し前記レンズインターフェースの前記表面から突出しなくなるように、前記ポストに対して配置され、前記制御部は、前記ロックリングが前記第１の位置から離れる方に回転されるときは前記ポストを後退させるように作動できない、
薄型レンズ構成要素。
【請求項５５】
前記レンズインターフェースの前記表面はフランジ前面である、請求項５４に記載の薄型レンズ構成要素。
【発明の詳細な説明】
【技術分野】
【０００１】
関連出願の相互参照
本願は２０１５年８月６日出願の米国特許出願第１４／８２０，４３９号、および２０１４年８月７日出願の米国特許仮出願第第６２／０３４，４４６号の優先権を主張する。前述の出願は全体が本明細書で援用される。
【０００２】
小型で場所をとらない薄型撮像装置の性能が進歩し続けている。例えば、ある簡単操作のカメラ、アクションカメラ、ならびにスマートフォンおよびカメラ付きハンドヘルド電子デバイスは、比較的高い解像度レベルおよび／またはフレームレートで静止画像および動画映像の取り込みをサポートし始めた。
【背景技術】
【０００３】
ほんの一例であるが、サムスンのＧａｌａｘｙ  Ｓ６スマートフォンは、高さ約１４２ミリメートル（ｍｍ）、幅約７０ｍｍであり、厚さは約７ｍｍしかないが、ＵＨＤ  ４Ｋ解像度の映像（３８４０×２１６０画素）を３０フレーム／秒（３０ｆｐｓ：ｆｒａｍｅｓ  ｐｅｒ  ｓｅｃｏｎｄ）で撮影できる、１６メガピクセル（ＭＰ：ｍｅｇａｐｉｘｅｌ）センサを有する背面カメラを有する。こうしたハイエンドの性能および機能の組み合わせは、以前は、デジタル一眼レフ（ＤＳＬＲ：ｓｉｎｇｌｅ−ｌｅｎｓ  ｒｅｆｌｅｘ）カメラおよびハイエンド（例えば、シネマグレード）デジタルビデオカメラを含む、専門家レベルのよりかさばるデジタルカメラにだけ関連付けられていた。
【０００４】
一部の領域でこのように技術が進歩するが、現在はよりコンパクトな画像装置は、通常ハイエンドＤＳＬＲおよびデジタルビデオカメラと共に使用される質の高いレンズのタイプとは互換性がないことが多い。
【発明の概要】
【０００５】
一部の実施形態では、ロック可能でありカメラから着脱可能な薄型ポジティブロック式カメラ構成要素が開示される。薄型ポジティブロック式カメラ構成要素は、中央開口を有する静止プレートと、静止プレートによって担持される回転可能なロックリングと、ロックリングに連結され、カメラ構成要素のレンズサイドの反対側であるカメラ構成要素のカメラサイド上で担持される、少なくとも２つの回転可能な突出部とを含む。ロックリングが回転すると、突出部は中心軸を中心に回転し、さらに、軸に沿って静止プレートの方向に進む。
【０００６】
前段落の薄型ポジティブロック式カメラ構成要素は、以下の特徴のうちの１つまたは複数を含むことができる。静止プレートは電話機ハウジングの一部分である。突出部はそれぞれ、静止プレートの押圧面に平行に配置されその押圧面に面する押圧面を有し、突出部の押圧面は、突出部が軸に沿って静止プレートの方向の方向に進むにつれて静止プレートとして押圧面に近づく。カメラ構成要素はカメラレンズである。カメラ構成要素はレンズマウントアダプタである。静止プレートおよび回転可能な突出部は、撮像装置ハウジング上の対応するインターフェースへのカメラ構成要素の着脱可能な取り付けを可能にするように構成される、レンズマウントアダプタの第１のインターフェースを構成し、カメラ構成要素はさらに、カメラ構成要素へのカメラレンズの着脱可能な取り付けを可能にするように構成される、カメラ構成要素のレンズサイド上に設けられる第２のインターフェースを備える。カメラ構成要素は、約２５ミリメートル以下の有効フランジ焦点距離をなす撮像装置のハウジング上の対応する支持体に固着するように構成される。有効フランジ焦点距離は約２０ミリメートル以下である。有効フランジ焦点距離は１８ミリメートルである。有効フランジ焦点距離は１９．２５ミリメートルである。第１のマウンティングインターフェースはオス型インターフェースであり、第２のマウンティングインターフェースはメス型インターフェースである。薄型ポジティブロック式カメラ構成要素は回転可能な突出部を少なくとも３つ含む。薄型ポジティブロック式カメラ構成要素は、前記軸の周りで中心が６０度ずつ間隔を空けた６個の回転可能な突出部を含む。薄型ポジティブロック式カメラ構成要素は、軸の周りで中心が９０度ずつ間隔を空けた４個の回転可能な突出部を含む。薄型ポジティブロック式カメラ構成要素は静止プレート上に突出部を少なくとも２つ含む。薄型ポジティブロック式カメラ構成要素は静止プレート上に突出部を４個含む。薄型ポジティブロック式カメラ構成要素は静止プレート上に突出部を６個含む。回転可能な突出部は、それらが静止プレート上の突出部と回転方向に位置合わせされる第１の位置と、静止プレート上の突出部から回転方向にずれている第２の位置との間を移動可能である。薄型ポジティブロック式カメラ構成要素は、レンズマウントのカメラサイド上の第１の複数の電気接点と、レンズマウントのレンズサイド上の第２の複数の電気接点とを含む。第１の複数の電気接点は第２の複数の電気接点とは異なる構成を有する。ロックリングは静止プレートに螺合により結合される。
【０００７】
一部の実施形態では、光学要素を受容するように構成される開口を有する支持体が開示される。支持体は、支持体前面、支持体背面、およびそれらの間の厚さと、支持体前面と支持体背面との間を延びる開口の側壁と、径方向内側に側壁から開口に延びる少なくとも２つの円弧状フランジであって、各フランジは、支持体前面から凹んでいるフランジ前面および支持体背面から凹んでいるフランジ背面を有する、円弧状フランジとを含む。支持体はポジティブロック式マウンティングシステムのメス側を形成する。
【０００８】
先行の段落の支持体は以下の特徴のうちの１つまたは複数を含むことができる。支持体は、支持体前面からフランジ前面に延びる側壁の前方部分によって画定される周縁部を有する光学要素着座凹部を含む。着座凹部の周縁部は、光学要素の対応する起伏のある周縁面を収容するように起伏がある。着座凹部の周縁部の起伏は、開口への光学要素の単一角度の挿入を可能にするように構成されるキーイング機能（ｋｅｙｉｎｇ  ｆｅａｔｕｒｅ）を含む。支持体はカメラの表面を構成する。支持体は携帯電話の表面を構成する。支持体はレンズマウントアダプタのレンズサイドに設けられる。支持体は携帯電話機に取り付けるように構成されるプレートを備える。支持体は、径方向内側に側壁から開口に延びる円弧状フランジを少なくとも４個含む。少なくとも４個の円弧状フランジは開口の周縁部に沿ってほぼ等間隔に離間される。支持体は、光学要素の単一角度の挿入を提供するように構成される側壁上に設けられる位置合わせキーイング機能を含む。
【０００９】
一部の実施形態では、光学要素を受容するように構成される開口を有する支持体が開示される。支持体は、支持体前面、支持体背面、およびそれらの間の厚さと、支持体前面と支持体背面との間を延びる開口の側壁と、径方向内側に側壁から開口に延びる少なくとも２つの円弧状フランジであって、各フランジは、支持体前面から凹んでいるフランジ前面および支持体背面から凹んでいるフランジ背面を有する、円弧状フランジとを含む。支持体は、支持体への光学要素の固着を助けるように構成される回転可能なロッキングリングもばねも含まない。
【００１０】
前段落の支持体は以下の特徴のうちの１つまたは複数を含む。支持体はバヨネットスタイルマウントを実装する。支持体はポジティブロックマウントのメス部分を実装する。
【００１１】
一部の実施形態では、撮像システムが、ハウジングと、ハウジング内の少なくとも１つのイメージセンサと、ハウジングによって担持され、光学要素を受容するように構成される開口を有する、支持体であって、ハウジングの外側から放射する光が開口を通って進みイメージセンサに入射する、支持体とを含む。支持体は、支持体前面、支持体背面、およびそれらの間の厚さ、支持体前面と支持体背面との間を延びる開口の側壁、ならびに、径方向内側に側壁から開口に延びる少なくとも２つのフランジを含む。支持体はポジティブロック式マウンティングインターフェースのメス側を形成する。
【００１２】
前段落の撮像システムは以下の特徴のうちの１つまたは複数を含む。フランジはそれぞれ、支持体前面から凹んでいるフランジ前面および支持体背面から凹んでいるフランジ背面を有する。撮像システムの固有のフランジ焦点距離が約１５ミリメートル以下である。撮像システムの固有のフランジ焦点距離が約１０ミリメートル以下である。撮像システムの固有のフランジ焦点距離が約８ミリメートルである。撮像システムは、ポジティブロック式マウンティングインターフェースのオス側を実装し、支持体に着脱可能なように取り付けられるように構成される、レンズ構成要素を含む。レンズ構成要素はレンズまたはレンズマウントアダプタを備える。レンズ構成要素はレンズマウントアダプタを備え、レンズ構成要素が支持体に取り付けられた状態の撮像システムの有効フランジ焦点距離は約２０ｍｍ以下である。
【００１３】
一部の実施形態では、ロック可能でありカメラから着脱可能なレンズマウントアダプタが開示される。レンズマウントアダプタは、中央開口の周りを円周方向に延びる回転可能なロックリングと、開口の周りを円周方向に延びるレンズフランジ面であって、開口を貫通する中心軸に垂直なレンズフランジ面と、レンズフランジ面に対して移動可能なように装着されるポストと、ロックリングに連結されるボタンとを含む。ボタンは、ロックリングが第１の位置まで回転されるときはポストに係合し、ロックリングが第１の位置から離れる方に回転されるときはポストから変位する。
【００１４】
前段落のレンズマウントアダプタは以下の特徴のうちの１つまたは複数を含むことができる。ボタンとポストとは実矧ぎ継ぎによって互いに係合する。ボタンがポストと係合されるときにボタンを作動させると、ポストは、ポストがフランジ面を越えて延びる延在位置から、ポストがフランジ面を越えて延びない後退位置に移動する。ポストはばねに装着され、ばねは、ボタンが延在位置から後退位置に移動すると緩んだ状態から圧縮された状態に変化する。レンズマウントアダプタは、ロックリングに連結される少なくとも２つの回転可能な突出部を含み、ロックリングが回転すると、突出部は中心軸を中心に回転し、さらに、軸に沿って進む。レンズマウントアダプタはロックリングに螺合により連結される静止プレートを含み、ロックリングが第１の方向に回転すると、突出部は軸に沿って静止プレートの方向に進み、ロックリングが第２の方向に回転すると、突出部は軸に沿って静止プレートから離れる方向に進む。レンズマウントアダプタは、撮像装置のハウジング上に設けられる対応する支持体に取り付けられるときに約２５ｍｍ以下の有効フランジ焦点深度を可能にするように構成される。レンズマウントアダプタは、撮像装置のハウジング上に設けられる対応する支持体に取り付けられるときに約２０ｍｍ以下の有効フランジ焦点深度を可能にするように構成される。レンズマウントアダプタは、撮像装置のハウジング上に設けられる対応する支持体に取り付けられるときに１８ｍｍの有効フランジ焦点深度を可能にするように構成される。レンズマウントアダプタは、撮像装置のハウジング上に設けられる対応する支持体に取り付けられるときに１９．２５ｍｍの有効フランジ焦点深度を可能にするように構成される。
【００１５】
一部の実施形態では、薄型レンズ構成要素が、中央開口の周りを円周方向に延びる回転可能なロックリングと、レンズ構成要素のカメラサイド上に設けられるレンズインターフェースと、ばねの緩んだ状態にあるときはレンズインターフェースの表面から突出するばね付きポストと、機械的に作動可能な制御部とを含む。制御部は、ロックリングが第１の位置に回転されるときに制御部の作動がばね付きポストのばねの力を突破してポストが後退しレンズインターフェースの表面から突出しなくなるように、ポストに対して配置される。制御部は、ロックリングが第１の位置から離れる方に回転されるときはポストを後退させるように作動することができない。
【００１６】
前段落の薄型レンズ構成要素は以下の機能を含むことができる。レンズインターフェースの表面はフランジ前面である。
【００１７】
本明細書に記載の本発明のさらなる特性および利点が、添付の図面と一緒に検討するときに以下の詳細な説明から明らかになるであろう。
【図面の簡単な説明】
【００１８】
【図１Ａ】特定の実施形態による、マウンティングインターフェースを組み込む撮像システムの例を示す。
【図１Ｂ】特定の実施形態による、マウンティングインターフェースを組み込む撮像システムの例を示す。
【図２Ａ】特定の実施形態による、撮像装置の支持体から離間したレンズマウントアダプタの斜視図である。
【図２Ｂ】特定の実施形態による、撮像装置の支持体から離間したレンズの斜視図である。
【図３Ａ】特定の実施形態による、図２Ａ〜図２Ｂの支持体の開口の正面図である。
【図３Ｂ】図２Ａに示すレンズマウントアダプタおよび図２Ｂに示すレンズの後面斜視図を示す。
【図３Ｃ】図２Ａに示すレンズマウントアダプタおよび図２Ｂに示すレンズの前面斜視図を示す。
【図４】撮像装置の支持体の対応する開口に係合された光学構成要素の立面図である。
【図５Ａ】特定の実施形態による逆転ポジティブロック（ＰＬ：ｐｏｓｉｔｉｖｅ  ｌｏｃｋ）マウント構成を介して支持体に連結された薄型レンズの側面図である
【図５Ｂ】特定の実施形態による逆転ポジティブロック（ＰＬ：ｐｏｓｉｔｉｖｅ  ｌｏｃｋ）マウント構成を介して支持体に連結されたマイクロフォーサーズシステムマウントの側面図である。
【図６Ａ】図２Ａに示すレンズマウントアダプタの回転ロックリング、固定フランジリング、および回転フランジリングの正面斜視分解図を示す。
【図６Ｂ】図２Ａに示すレンズマウントアダプタの回転ロックリング、固定フランジリング、および回転フランジリングの背面斜視分解図を示す。
【図６Ｃ】組み立て済みの構成にある、図２Ａに示すレンズマウントアダプタの回転ロックリング、固定フランジリング、および回転フランジリングの断面図である。
【図６Ｄ】第２のレンズマウントアダプタを受容するように構成される中間レンズマウントアダプタの一例の分解図を示す。
【図６Ｅ】第２のレンズマウントアダプタが取り付けられた、組み立て済みの構成にある、図６Ｄの中間レンズマウントアダプタの一例を示す。
【図７Ａ】特定の実施形態による、回転ロックリング（図示せず）が第１の回転位置にあるときのリリース機構を示す、レンズ安全リリース機構を含むレンズマウントアダプタの斜視切欠図を示す。
【図７Ｂ】回転ロックリング（図示せず）が第２の回転位置にあるときのリリース機構を示す、図７Ａのレンズマウントアダプタの斜視切欠図を示す。
【図７Ｃ】図７Ａのレンズ安全リリース機構の構成要素を示す。
【図７Ｄ】図７Ａのレンズ安全リリース機構の構成要素を示す。
【図８Ａ】特定の実施形態による、撮像装置の支持体の別の実施形態から離間したレンズの、斜めから見る別の実施形態を示す。
【図８Ｂ】図８Ａに示す支持体の正面図を示す。
【図９】実施形態による装置の様々な電子的な面および機能を示すブロック図である。
【発明を実施するための形態】
【００１９】
図１Ａは、撮像装置１０２および取り外し可能なレンズ１０４を含む、撮像システム１００を示す。撮像装置１０２は、デジタルカメラまたはカメラ付き携帯電話などのハンドヘルド電子デバイスとすることができる。撮像システム１００はマウンティングシステム１１８を実装し、そのマウンティングシステム１１８は、より詳細に論じるように、ＰＬマウントのクランピングを頑強にしながら、従来のバヨネットタイプのマウンティングシステムと同様の薄さを実現する、逆転ポジティブロック（ＰＬ）マウンティングシステムとすることができる。本明細書の本発明は、デジタルスチールカメラおよびデジタルモーションカメラ、スマートフォン、パーソナルナビゲーション装置、モバイルインターネットデバイス、ハンドヘルドゲーム機、または以下で図９と関連して論じる機能のいずれかもしくは組み合わせを有する装置など、携帯電話機能の有無にかかわらずカメラ付き装置を含む様々なハンドヘルド電子デバイスのいずれにも応用可能である。
【００２０】
撮像装置１０２は、ハウジング１０６と、ハウジング１０６内の少なくとも１つのイメージセンサ１０８とを含む。イメージセンサ１０８は、レンズ１０４がカメラハウジング１０６に取り付けられると、撮像システム１００の光路に沿って移動する光が、レンズ１０４によって支持される光学系１１０を、次いで、ハウジング１０６の前面１１２に設けられた開口（図示せず）を通過するように、ハウジング１０６内に配置される。光学系１１０は、例えばフォーカスおよび／またはズームを行うように構成された屈折ガラスを１つまたは複数含むことができる。
【００２１】
イメージセンサ１０８は、限定されるものではないが、例えば、ＣＭＯＳ、ＣＣＤ、Ｆｏｖｅｏｎ（登録商標）センサなどの垂直に積層したＣＭＯＳ素子、またはセンサ間で分光するようにプリズムを使用するマルチセンサアレイを含む映像感知素子のうちのいずれかのタイプとすることができる。例えば、カメラは撮像装置１０２で使用される画像センサのサイズおよび支持電子部品の容量に応じて、様々なおよび／または調整可能な解像度ならびにアスペクト比で、例えば、限定されるものではないが、６１４４×３１６０画素またはそれを超える画素、２：１、２．４：１、１６：９などのアスペクト比で、静止画像を取り込む能力と、限定されるものではないが、例えば、６Ｋ（２：１、２．４：１）、５Ｋ（フルフレーム、２：１、２．４：１およびアナモルフィック２：１）、４．５Ｋ（２．４：１）、４Ｋ（１６：９、ＨＤ、２：１およびアナモルフィック２：１）、３Ｋ（１６：９、２：１およびアナモルフィック２：１）、２Ｋ（１６：９、２：１およびアナモルフィック２：１）、１０８０ｐ  ＲＧＢ（１６：９）、７２０ｐ  ＲＧＢ（１６：９）ならびに他の解像度およびフォーマット含む、最大約「６Ｋ」またはそれを超える解像度で動画像を取り込む能力を含む。さらに、装置１０２は、圧縮ローモザイク画像センサデータ、十分にレンダリングされた圧縮ビデオデータ、および非圧縮ビデオデータを含む、いくつかの圧縮オプションを含むように構成することができる。オンボードメモリが、好ましくは、少なくとも約６４ＧＢ、様々な実装形態では、少なくとも約１２８ＧＢ、２５６ＧＢ、または５１２ＧＢの容量を備える。一部の実施形態では、メモリは、ハウジング１０６に直接的または間接的に着脱可能なように取り付け可能な別個の録音ユニットに取り付けることができる。撮像装置１０２が電話機である場合、少なくとも１つのＳＩＭカードを、好ましくは、その電話機が２つ以上の電話番号を利用できるように２つ以上のＳＩＭカードを受容するスロットまたはキャビティを含むことができる。
【００２２】
撮像装置１０２が電話機である場合、電話の前方から外側を向くカメラおよび電話の後方から外側を向くカメラなど、２つのカメラを含むことができる。一実施形態では、図示のセンサ１０８は、電話の後方から外側を向くカメラの一部をなす。
【００２３】
撮像装置１０２は支持体１１４も含み、支持体１１４は、カメラ本体１０６からレンズ１０４を取り付けおよび取り外す間に、レンズ１０４上に設けられた対応マウント１１６とそれぞれ係合および係合解除するように構成される。支持体１１４とマウント１１６とは一緒にマウンティングシステム１１８を形成する。特定の実施形態によれば、マウント１１６は、メス型の支持体とのポジティブロックを確実にするための回転可能なロックリングおよび１つまたは複数の回転可能なフランジを含む、オス型のインターフェースである。
【００２４】
図１Ｂに示す撮像システム１０１の別の実施形態では、マウンティングシステム１１８のマウント１１６は、レンズ１０４の代わりに、レンズマウントアダプタ１２０上に実装される。レンズマウントアダプタ１２０は、アダプタ１２０のレンズサイドにアダプタマウントを組み込み、そうすることにより、多種多様なレンズおよび対応するレンズマウントタイプを撮像システム１０１と共に使用できるようになる。このようにして、マウンティングシステム１１８を組み込む撮像システムは、任意選択で、多種多様な異なるレンズと共に使用することができる。例えば、様々なレンズ製造業者間でレンズマウントが規格化されていないので、アダプタ１２０は、以下のレンズマウントのうちのいずれかに適合するようにサードパーティのマウント１２２を実装することが企図される。ペンタックスのＱマウント、Ｄマウント（８ｍｍムービーカメラ）、ＣＳマウント（監視カメラ）、ニコンの１マウント、Ｃマウント（ボレックス、エクレール、およびベル＆ハウエル）、富士フイルムのＸマウント、キヤノンのＥＦ−Ｍマウント、ソニーのＥマウント、ソニーのＦＺマウント、マイクロフォーサーズシステム、サムスンのＮＸマウント、ＲＥＤ  ＯＮＥの互換性マウント、ライカのＭマウント、Ｍ３９（ライカ）スクリューマウント、オリンパスのＰＥＮ  Ｆ、コンタックスのＧマウント、コンタックスのＲＦマウント、ニコンのＳマウント、オリンパスのフォーサーズシステム、コニカのＡＲマウント、キヤノンのＦＬマウント、キヤノンのＦＤマウント、スタート（Ｓｔａｒｔ）（ソビエトＳＬＲ）ミノルタのＳＲマウント、フジカのＸマウント、キヤノンのＥＦマウント、キヤノンのＥＦ−Ｓマウント、プラクチカのＢマウント、シグナ（Ｓｉｇｎａ）のＳＡマウント、ミノルタ／コニカミノルタ／ソニーのＡマウント、ペンタックスのＫマウント、Ｍ４２、コンタックスのＣ／Ｙマウント、オリンパスのＯＭマウント、ニコンのＦマウント、ライカのＲコンプリメンタリ（Ｒ−Ｃｏｍｐｌｅｍｅｎｔａｒｙ）マウント、ソニーのＢ４マウント、コンタックスのＮマウント、アリのＳＴＤ、アリのＢ、アリのＰＬ、Ｔマウント、パナビジョンのＰＶマウント、ＯＣＴ−１９、マミヤの６４５、コンタックスの６４５、ペンタックスの６４５、ハッセルブラッドの２０００＆５００、ペンタックスの６×７。前述のマウントのうちのいずれかを有するレンズは、アダプタマウント１２２上に、相補的なマウントに直接的に装着可能にすることができる。
【００２５】
図１Ａ〜図１Ｂに示さない他の特定の実施形態では、レンズマウントアダプタ１２０は、アダプタマウント１２２を実際に含まずレンズに直接的に取り付けられないという点で、中間アダプタである。その代わりに、中間アダプタは、アダプタのレンズサイドに設けられたインターフェースを含み、第２のレンズマウントアダプタに取り付けられるように構成される。第２のレンズマウントアダプタは所望のタイプのレンズマウントを含むことになる。こうした構成の一例を以下の図６Ｄおよび図６Ｅに関して示し、説明する。
【００２６】
さらに他の実装形態では、マウンティングシステム１１８は、支持体１１４が撮像装置１０２のハウジング１０６に設けられる代わりに光路の中間の構成要素上に設けられるように、実装することができる。例えば、支持体１１４は、レンズマウントアダプタのレンズサイドに設けることができ、レンズマウントアダプタのカメラ側は、カメラまたは他の撮像装置上にある対応するインターフェースと係合するように構成された、異なるタイプのマウントを含むことになる。
【００２７】
レンズマウントアダプタ１２０はさらに、アダプタ１２０からのレンズの望ましくない取り外しを防止するためのレンズリリース機構を含むことができる。本明細書でさらに詳細に記載するように、レンズリリース機構は、アダプタの回転ロックリング上に配置されるボタンを含むことができ、ここで、ロックリング上にボタンを配置することによってアダプタの薄さを維持し、フランジ焦点距離の短縮を可能にする。ロックリングが回転すると、レンズリリースピンと（例えば、実矧ぎ機構を介して）係合する第１の位置から、リリースポストから外れる第２の位置までボタンが移動する。
【００２８】
一部の実施形態による本明細書に記載のマウンティングシステムは、「Ｃｅｌｌｐｈｏｎｅ  Ｗｉｔｈ  Ｃｏｎｔｏｕｒｅｄ  Ｓｕｒｆａｃｅｓ」という名称の２０１４年４月７日出願の米国特許出願第１４／２４７，１６０号（‘１６０号出願）に記載された携帯電話のうちのいずれかなど、起伏のあるカメラ付き携帯電話に実装することができる。例えば、図１Ａ〜図１Ｂの支持体１１４および図２Ａ〜図２Ｂの支持体２２０を含む、本明細書に記載の支持体はいずれも、‘１６０号出願に記載の起伏のあるプロファイルの携帯電話のうちのいずれか１つの背面に実装することができる。本明細書に記載の逆転ポジティブロックマウントは、支持体に直接的にまたは本明細書に記載のレンズマウントアダプタの使用によって、比較的大きく重いレンズの取り付けを可能にすることができ、起伏のある輪郭は、しっかりと持つことを可能にし、このことはこのようなかさ張るレンズの携帯電話を取り扱うときに特に有効である。
【００２９】
レンズマウントシステムの例
図２Ａ〜図２Ｂはそれぞれ、図１の撮像装置１００などのハンドヘルド撮像装置と共に利用できる、レンズマウントアダプタ２２４およびレンズ２２５を示す。例えば、図２Ｂのレンズ２２５は図１Ａのレンズ１０４とすることができ、図２Ａのレンズマウントアダプタ２２４は図１Ｂのレンズマウントアダプタ１２０とすることができる。さらに、図２Ａおよび図２Ｂに示す支持体２２０は、図１Ａ〜図１Ｂに示す支持体１１４とすることができ、カメラまたは他の撮像装置の前面の少なくとも一部分に設けるかまたはその部分を形成することができる。
【００３０】
支持体２２０は、撮像装置上に設けられる場合、撮像装置の固有のまたは内蔵のレンズマウントと称されることがある。例えば、支持体２２０は、形態電話のハウジングまたはカメラ本体の壁の少なくとも一部分に設けることもでき、そうでなければその部分を形成することもできる。支持体２２０は、典型的には組み立て済みのカメラまたは他の撮像装置の光軸と位置合わせされる中央開口２２２を備える。支持体２２０は、カメラ、携帯電話、または他の撮像装置への着脱可能な取り付けなどのためのプレートとすることもできる。
【００３１】
図２Ａを参照すると、支持体は開口２２２を有し、開口２２２は、レンズマウントアダプタ２２４または他の互換性のある光学構成要素を着脱可能なように受容するように構成される。概略的には、開口２２２の周縁部およびレンズマウントアダプタ２２４または他の互換性のある光学構成要素の対応する周縁部に、様々な相補的な係合構造のいずれかを設けることができる。相補的な係合構造によって、好ましくは、レンズマウントアダプタ２２４が支持体２２０に確実に連結されるだけでなく着脱可能にすることができる。さらに論じるように、開口２２２はさらに、レンズ２２５（図２Ｂ）またはレンズマウント（図６Ｄ〜図６Ｅ）を着脱可能なように受容するように構成される中間のレンズマウントアダプタなど、支持体への取り付けのための同様の係合構造を有する他の光学構成要素を着脱可能なように受容するように構成することができる。
【００３２】
レンズマウントアダプタ２２４は、支持体２２０への取り付けのための第１組の相補的係合構造と、従来の市販のレンズを着脱可能なように受容するように構成される第２組の係合構造とを備えることができる。レンズマウントアダプタ２２４は、レンズ用マウントを収容するレンズサイド２３４を有すると考えられる。図示のレンズマウントアダプタ２２４は、ソニー  Ｅマウントインターフェースを有するレンズへの取り付けのために構成されるが、レンズマウントアダプタ２２４は、様々な実施形態において、本明細書に記載のレンズマウントのうちのいずれか１つを含む異なるマウントインターフェースタイプを有するレンズへの取り付けのために構成することができる。ここで図２Ｂを参照すると、レンズ２２５のレンズサイド２３４はレンズ光学系を収容し、そのレンズ光学系は、フォーカスおよび／またはズームを行うように設計された屈折ガラスを１つまたは複数含むことができる。例えば、図２Ａは、レンズ２２５の最も前面側にある光学要素２７７の前面を示し、図３Ｂは、レンズ２２５の最も背面側にある光学要素２７５の背面を示す。
【００３３】
カメラサイド２３６がレンズサイド２３４の反対側にあり、カメラサイドと称されるが、これは様々な支持構造のいずれかにマウントアダプタ２２４が取り付けられる可能性があるときの単なる方向の基準であると理解される。参考のために、支持体２２０は、レンズマウントサイド２４３および反対側のセンササイド２４５を有すると称される。
【００３４】
図２Ａおよび図２Ｂを参照すると、開口２２２は起伏のある周囲縁部２２６を備える。少なくとも第１の凹所２２８が、開口２２２の中心を貫通する軸から径方向外側に延びる。図示の実施形態では、第２の凹所２３０が、第１の支持フランジ２３２によって、第１の凹所２２８から円周方向に離間される。周囲縁部２２６は、図３Ａの第３の凹所２３１、第４の凹所２３３、第５の凹所２３５、第６の凹所２３９、および同じ数の介在するフランジ２３２など、凹所２２８と同様の２個、または３個、または４個、または５個、または６個、または７個、または８個、またはそれより多くの凹所を備えることができる。
【００３５】
図２Ａを参照すると、レンズマウントアダプタ２２４のカメラサイド２３６は少なくとも第１の回転マウントフランジ２３８を含み、その第１の回転マウントフランジ２３８は、回転マウントフランジ２３８が第１の凹所２２８など開口の周囲縁部２２６の凹所のうちの１つを通り抜けた状態でレンズマウントアダプタ２２４を開口２２２内に位置決めできるように寸法設定される。図示の実施形態では、レンズマウントアダプタ２２４は、レンズマウントアダプタ２２４の周縁部にほぼ等間隔で円周方向に離間される６個の回転マウントフランジ２３８、２３９、２４０、２４１、２４２、２４４（図３Ｂ）を備える。典型的には、レンズマウントアダプタ２２４は、支持体２２０上に設けられる凹所２２８の数に等しい数の回転マウントフランジを備える。再び図３Ａを参照すると、マウンティングシステムは、位置合わせ機構またはキーイング機構を含むことができる。例えば、支持体２２０の周縁部２２６はさらに、図示の実施形態を含む一部の実施形態では、位置合わせノッチ２２１または他の位置合わせ機能を含むことができる。ノッチ２２１は、表面プレート２４８に設けられた対応する位置合わせフランジ２２３が、レンズマウントアダプタ２２４を開口２２２に挿入する際に位置合わせノッチ２２１を通り抜けることができるように形状設定される。これは、レンズマウントアダプタ２２４を開口２２２に首尾よく挿入できる単一の回転角度を設ける。レンズマウントアダプタ２２４が撮像装置と電気接続されないような他の実施形態では、位置合わせ機能は設けられず、図示のレンズマウントアダプタ２２４は異なる６つの回転角度のうちのいずれかの向きに挿入することができる。位置合わせノッチがレンズマウントアダプタ２２４上に配設され、位置合わせフランジが支持体２２０上に配設されるような、位置合わせ機能の他の構成が可能である。代替の一実施形態を以下に記載する図８Ａ〜図８Ｂに示す。
【００３６】
再び図２Ａを参照すると、レンズマウントアダプタ２２４は回転可能なロッキングリング２４６を備え、そのロッキングリング２４６は表面プレート２４８に対して回転し、表面プレート２４８に対して回転マウントフランジを回転させる。レンズマウントアダプタ２２４は、各回転マウントフランジが支持体２２０の対応する凹所を通り抜けるように光軸に沿ってレンズマウントアダプタ２２４を進めることによって、支持体２２０上に装着される。レンズマウントアダプタ２２４が支持体２２０上に着座すると、ロックリングが回転することで各回転マウントフランジを回転させ、そうすることで、支持フランジ２３２など対応する支持フランジの下（センササイド２４５上）に位置決めされるようになる。前述のことから、例えば、図４に見ることができる、確実な締まりばめが可能になる。図４は、回転マウントフランジを４個有するレンズマウントアダプタの実施形態の、カメラの内側からの図である。図４に見られるように、４個の回転マウントフランジ２３８、２４０、２４２および２４４はそれぞれ、対応する凹所２３０との位置合わせから外れ、対応する支持フランジと係合するように回転した。
【００３７】
図２Ａに示す実施形態を含む特定の実施形態によるレンズマウントアダプタ２２４のさらなる特徴が、固定表面プレート２４８である。例えば、図２Ａおよび図６Ａ〜図６Ｂ参照。固定表面プレート２４８は、プレート２４８が支持体２２０の相補的な凹部内に着座できるように、起伏があるかまたはそうでなければ非円形の外周を備える。図示の実施形態では、相補的な凹部の外周は着座面２５０を画定し、開口２２２の周縁部のうちの支持フランジの前面（レンズマウントサイド）と支持体２２０の前面２５２との間に属する部分によって形成される。レンズマウントアダプタ２２４が開口２２２に完全に挿入され、したがって、固定表面プレート２４８が相補的な凹部内に完全に着座されると、表面プレート２４８の前面（カメラサイド２３６）は支持体２２０の干渉面に当接する。その干渉面は、支持フランジ２３２の前面（レンズマウントサイド２４３）によって少なくとも部分的に形成され、カメラの方向にプレート前面２５２から離間される。着座面２５０の外周は表面プレート２４８の周縁部に対応するように形状設定することができ、そうすることで、支持体２２０に対する固定表面プレート２４８の回転が防止される。本発明の一実装形態では、着座面２５０は、固定表面プレート２４８の厚さにほぼ等しい寸法だけ、プレート前面２５２から凹んでいる。このようにして、固定表面プレート２４８は、着座面２５０中に入り込み、プレート前面２５２と面一のインターフェースおよびプレート前面２５２と連続する滑らかな表面を形成する。
【００３８】
一実装形態では、ロッキングリング２４６は、ロッキングリング２４６が第１の方向に回転すると回転マウントフランジがレンズマウントアダプタ２２４の方向に（レンズサイド２３４に向かって）引っ張られ、ロッキングリング２４６が第２の方向に回転すると回転マウントフランジがカメラの方向に（カメラサイド２３６に向かって）進むように、回転マウントフランジに連結されるかまたは回転マウントフランジに対して連結される。このようにして、ロッキングリング２４６が回転されて、回転マウントフランジを図４に示す位置まで回転方向に進めると、同時に、回転マウントフランジが固定表面プレート２４８の方向に進み、そうすることで、対応する回転マウントフランジと固定プレート２４８との間で支持フランジ２３２に圧力を加えるかまたはそれを締め付ける。この圧力は、レンズマウントアダプタ２２４と支持体２２０との間の確実なポジティブロック（ＰＬ）を設ける。例えば、レンズマウントアダプタ２２４または他の光学構成要素と支持体２２０との間の連結は、カメラの振動または移動による実質的な遊びに左右されなくなる。例えば、図６Ｃに関してさらに説明するように、図示の実施形態を含む一部の実施形態では、ロッキングリング２４６は回転マウントフランジには直接的に連結され、固定表面プレート２４８には螺合により連結される。こうした構成では、ロッキングリング２４６が回転すると、光軸に沿って固定表面プレート２４８に対してロッキングリング２４６および回転マウントフランジを移動させ、ここで、光軸に沿った移動方向は回転の方向によって決まる。
【００３９】
一部の実施形態によるレンズマウントアダプタ２２４と支持体２２０との装着動作の態様の概要として、図２Ａ〜図３Ｂを参照すると、ロックリング２４６は最初にロック解除位置まで回転される。図示の実施形態では、ロックリングがロック解除位置にあるとき、回転フランジは、固定表面プレート２４８の周縁部にある対応する固定フランジ２９１と位置合わせされる。ユーザは、レンズマウントアダプタ２２４の回転フランジ、固定フランジ２９１、および位置合わせタブ２２３を、支持体２２０の対応する凹所２３０および位置合わせノッチ２２１と位置合わせし、レンズマウントアダプタ２２４を開口２２２に挿入する。レンズマウントアダプタ２２４がセンサの方向において開口２２２に位置合わせ可能なように挿入されると、回転フランジは対応する支持凹所を通り抜け、その凹所から離れる。その間に、固定プレート２４８は、キーイング機能、フランジ、および凹所を含む周縁部の起伏が、着座凹部２５０の周縁部によって画定される対応する起伏と位置合わせされるように向けられる。アダプタ２２４は、固定プレート２４８の前面（カメラサイド２３５）が支持フランジ２３２の前面に接触するまで、開口に軸方向に挿入され続ける。この点で、固定プレートは着座面２５０に対して着座される。ユーザは、ここで、ロックリング２４６を回転させて、支持フランジ２３２の背後（センササイド２４５）で回転フランジに摺動を開始させる。回転することによって、同時に、回転フランジを固定プレート２４８に向かって移動させて、支持フランジ２３２が回転フランジの背面（レンズサイド２２５）と固定プレート２４８の前面（カメラサイド２３６）との間で締め付けられる。ロックリング２４６は、図４に示すようなロック位置に到達するまで回転される。アダプタ２２４を解放するためには、ロックリング２４６が同じ量だけ反対方向に回転され、アダプタ２２４が開口２２２から着脱される。
【００４０】
こうしたロッキング機構は、支持体２２０とレンズマウントアダプタ２２４との間の遊びが非常に小さい信頼性のある連結を形成し、これは、動画撮影の間に特に有益な場合がある。さらに、図示の実施形態を含む一部の実施形態によれば、レンズ２２５またはレンズマウントアダプタ２２５などの光学構成要素（例えば、マウンティングインターフェースのオス型側）は、回転ロックリング２４６および回転フランジなどのロック機能に含まれる機械的にアクティブな移動可能な構成要素を含む。対照的に、こうした一定の実施形態による支持体２２０（例えば、マウンティングインターフェースのメス型側）は、支持フランジ２３２および着座凹部２５０などのロック機能に含まれる機械的に受動的で移動不能な構成要素だけを含む。例えば、様々な実装形態による支持体２２０は、レンズ構成要素と、支持体または回転可能なロックリングとの間の締結力を提供するための偏向ばねまたはコイルばねなどのばねを含まない。他の可能性のある欠点の中で、バヨネットスタイルのレンズマウントなどにあるばねを含むことは、動作の際にレンズ構成要素と支持体２２０との間のがたつきを許すこともある。さらに、支持フランジ２３２の前面と後面とは平行であり、通常と異なる力は実質的にない状態で、記載のような固定プレート２４８の対応する面と回転フランジの対応する面との間で支持フランジ２３２の固定面と固定面との締め付けを可能にする。ばねを含むと、ある程度の通常と異なる力を生み出して、ロックの有効性を低下させることもある。代替の実施形態では、クランピング力を助けるためにばねを含んでよい。
【００４１】
ここで図５Ａを参照すると、支持プレート２２０に装着されるマイクロ４／３（ＭＦＴ）アダプタなどのレンズマウントアダプタ２６０の側面図が示されている。図５Ｂは支持プレート２２０に装着されるレンズ２６５を示す。本明細書に記載のマウンティング機構は、従来のバヨネットタイプのマウンティングシステムの積み重ね高を小さくすることができるが、ＰＬ（ポジティブロック）マウントのクランピング強度は高くする。マウントは、バックフォーカスすなわちフランジ焦点距離２６２を非常に浅くすることも可能である。
【００４２】
図５Ａおよび図５Ｂを参照すると、支持体２２０のフランジ前面２６４から１つまたは複数のイメージセンサ２６７によって形成される像平面２６６までのマウンティングシステムの固有のフランジ焦点距離２６２を測定することができる。図２Ａを簡単に参照すると、図２Ａの支持体２２０のフランジ前面は支持体のほぼ平坦な隣接面２５２を備え、その隣接面２５２は、開口２２２の開口部と同一平面にあるが、ボタン２８０、またはその面から突出するかもしくは引っ込んだ任意の他の部分を含まない。再び図５Ａ〜図５Ｂを参照すると、固有のフランジ焦点距離２６２は、１５ｍｍ未満から、約１２ｍｍ未満まで、好ましくは、１０ｍｍ未満までの範囲とすることができる。一実施形態では、固有のフランジ焦点距離２６２は８ｍｍである。図５Ａのレンズマウントアダプタ２６０はアダプタマウント２６１を含み、そのアダプタマウント２６１は、オス型マイクロ４／３マウントを有するレンズの取り付けを可能にするメス型マイクロ４／３バヨネットスタイルマウントとすることができる。アダプタ２６０が取り付けられると、システムの有効焦点深度２６３を、像平面２６６とアダプタマウント２６１のレンズマウンティングフランジ２６９との間で測定することができる。固有のフランジ焦点距離２６２が浅いと、カメラに多種多様なレンズを交換可能なように使用することが可能になり、それらレンズには、フランジ焦点距離が比較的浅いマウンティングシステム（例えば、１８ｍｍのソニー  Ｅマウントまたは１９．２５ｍｍのマイクロ４／３マウント）を有するレンズ、同様に、有意に大きいフランジ焦点距離を有するレンズが含まれる。例えば、レンズマウントアダプタは、本明細書に記載の市販のレンズマウントのいずれかと互換性のあるマウンティングシステムを含む、当技術分野で知られるような１５ｍｍ未満、好ましくは、約２０ｍｍ未満から、４５ｍｍ超または５０ｍｍ超までの範囲のフランジ焦点深度を有するマウンティングシステムを実装することができる。
【００４３】
用語「バックフォーカス（ｂａｃｋ  ｆｏｃｕｓ）」、「バックフォーカス距離（ｂａｃｋ  ｆｏｃｕｓ  ｄｉｓｔａｎｃｅ）」、「フランジ焦点距離（ｆｌａｎｇｅ  ｆｏｃａｌ  ｄｉｓｔａｎｃｅ）」、および「フランジ焦点深度（ｆｌａｎｇｅ  ｆｏｃａｌ  ｄｅｐｔｈ）」は、本明細書では同じ意味で用いられ、概して、固有のマウンティングフランジと像平面との間の距離（例えば、図５Ａおよび図５Ｂに示す距離２６２）に相当するか、またはレンズマウントアダプタが用いられる場合は、アダプタのマウンティングフランジまたは表面と像平面との間の距離（例えば、図５Ａに示す距離２６３）に相当することができる。凸レンズの背面の頂点など、レンズの光学系の一番後ろの部分との間の距離を小さくすることが有益な場合もある。この距離は、レンズの設計に応じて変えることができ、場合によっては、フランジ焦点距離２６２より短くすることができる。例えば、図５Ｂを参照すると、一部の実施形態では、レンズ２６５が開口に挿入されると、レンズ２６５内の最背面の光学要素２７５の頂点（図３Ｂに示すレンズ２２５に視認できる）が支持体２２０のイメージセンササイドに属することができる。そのことから、レンズの後面から像平面までの距離２７１をフランジ焦点深度２６２より短くすることができる。様々な実施形態において、レンズの後面から像平面までの距離２７１は、約１５ｍｍ以下、約１０ｍｍ以下、または約８ｍｍ以下から、好ましくは、約５ｍｍ以下の範囲にある。一実施形態では、レンズから像平面までの距離２７１は約２ｍｍであり、フランジ焦点距離２６２は約８ｍｍである。
【００４４】
特定の実施形態によれば、レンズマウントアダプタ２２４はさらに、現代のレンズマウントフォーマットの多くが必要とする信号／電力の通過部を収容することによって光学電子機械機能を維持する。あるいは、マウントは、「ドーム」マウントとして機能することもできる（光学機械式のみ）。このために、図３Ａおよび図３Ｂを参照すると、レンズマウントアダプタ２２４のカメラサイド２３６およびレンズ２２５のカメラサイド２３６は複数の電極２５１を収容し、それら電極２５１は、レンズマウントアダプタ２２４が取り付けられる撮像装置（例えば、カメラ本体または携帯電話機本体）上に設けられる複数の電極２５３のパターンに合致するように構成される。ノッチ２２１およびフランジ２２３を含む位置合わせ機構は、レンズマウントアダプタ２２４の電極２５１と撮像装置の電極２５３との間の適切な接続を保証することができる。レンズマウントアダプタ２２４のレンズサイド２３４は、対をなすレンズとの電気通信を行う、ポゴピンなど、第２の複数の電極２５４（図３Ｃ）を収容する。このようにして、アダプタ２２４のレンズサイド上のマウントがソニーのＥマウントレンズまたはＭＦＴレンズへの機械的な固着のために構成される場合は、マウントのレンズサイド上の電気コネクタは、同じＥマウントまたはＭＦＴレンズと協働するように構成され、レンズマウントのカメラ本体側の電気コネクタは対象のカメラ本体の電気コネクタのパターンに対応する。
【００４５】
ここで図６Ａおよび図６Ｂを参照すると、図２Ａに示すレンズマウントアダプタ２２４の回転ロックリング２４６、固定表面プレート２４８、および回転フランジ支持リング２３７の前面分解斜視図および背面分解斜視図が示されている。ロックリング２４６および回転フランジ支持リング２３７と同様に、図示の固定表面プレート２４８は環状である。表面プレート２４８はさらに１組の固定フランジ２５８を支持する。回転フランジ支持リング２３７は、回転フランジ２３８、２３９、２４０、２４１、２４２、２４４を支持し、回転ロッキングリング２４６に連結するように構成される。例えば、図示の支持リング２３７は、固定表面プレート２４８の対応するスロット２４７を貫通する３つのタブ２４９を１組含む。タブ２３７は、ロッキングリング２４６上に設けられた対をなす留め具開口部２５７を通って、タブ２４９に設けられた対応するメス型留め具穴の中に、ネジ、ボルト、または他の留め具を挿入することによって、ロックリング２４６に締結される。連結タブ２４９を３つ示すが、実施形態によっては１つ、２つ、または４つ以上のタブを使用することができる。ロックリング２４６と回転リング２３７とは、実施形態によっては、モールド成型の連結によってまたは粘着剤を用いてなど、他の手法で連結することができる。図のように、スロット２４７は、表面プレート２４８の周縁部に含まれ、固定表面プレートリング２４８の周縁部に沿って細長く湾曲している。このことは、タブ２４９が貫通し、そうすることで、ロックリング２４６をフランジ支持リング２３７に連結可能にするだけではなく、撮像装置からのレンズマウントアダプタ２２４の取り外しおよび取り付け中に、接合したロックリング２４６／フランジ支持リング２３７が固定表面プレートリング２４８に対して回転することを可能にする。固定表面プレート２４８はネジ山付き環状面２５５を支持する。そのネジ山付き環状面２５５は、支持プレート２４８からロックリング２４６の方向に延び、ロックリング２４６の内周に設けられた対応するネジ山面２５６と噛み合うように構成される。
【００４６】
図６Ｃは、組み立てられた状態の図６Ａ〜図６Ｂのロックリング２４６、固定表面プレートリング２４８、および回転フランジ支持リング２３７の断面図を示す。図６Ｃは、回転フランジ支持リング２４７のタブ２４９が、固定表面プレート２４８のスロット２４７を貫通し支持リング２４７を回転リング２４６に連結するところを示す。図６Ｃは、固定表面プレート２４８のネジ山面２５５とロックリング２４６のネジ山面２５６との間の連結も示す。ロッキングリング２４６の回転がネジ山による連結を係合し、その結果、ロッキングリング２４６およびフランジ支持リング２４７が光軸に沿って固定表面プレート２４８に対して移動する、ここで、回転方向に応じて、ロッキングリング２４６およびフランジ支持リング２４７のうちの一方が支持プレート２４８に近付くように移動し、他方が支持プレート２４８から離れる方に移動する。図２Ａ、図６Ｂ、および図６Ｃを参照すると、この機構は、回転フランジ支持リング２３７のフランジのレンズサイド２３４と、固定表面プレート２４８のカメラサイド２３６との間で、支持体２２０のフランジ２３２のレンズマウントサイド２４３の押圧を可能にする。
【００４７】
図６Ａ〜図６Ｃをレンズマウントアダプタ２２４に関して説明したが、レンズなど他の光学構成要素が、図６Ａ〜図６Ｂに示す構成要素と同様の構成要素を含むことができ、それらは、合わせて撮像装置の支持体２２０と係合して、ポジティブロック機能を提供する。例えば、図２Ｂに示すレンズ２２５は、同様に機能するロックリング２４６、固定表面プレートリング２４８、および回転フランジ支持リング２３７を含む。別の例として、図６Ｄは、図６Ｃに示すものと同様のロックリング２４６、固定表面プレート２４８、および回転フランジ支持リング２４７を含むレンズマウントアダプタ２７０の実施形態を示す。しかし、レンズマウントアダプタ２７０は、レンズに直接的に取り付けられず、その代わりに、別個のレンズマウントアダプタを受容するように構成される前面リング２７２を含むという点で、中間アダプタである。例えば、図６Ｅは、レンズマウントアダプタ２７０が組み立てられた構成にあり、第２のレンズマウントアダプタ２７４がその上に設置された状態を示す。第２のレンズマウントアダプタ２７４はレンズマウントインターフェース２７６を含み、レンズマウントインターフェース２７６は、様々な実装形態によれば、単なる可能性として２つ挙げるがキヤノンのＥＦバヨネットスタイルインターフェースまたはニコンのＦマウントなど、本明細書に記載の市販のレンズマウントシステムのうちのいずれかを実装することができる。
【００４８】
リリース機構
記載のように、レンズマウントアダプタ２２４、レンズ２２５、およびレンズマウントアダプタ２７０など、本明細書に記載の光学構成要素は、位置合わせしながら開口２２２に挿入し、続いて回転させてポジティブロックを確実にすることによって、支持体２２０に固着することができる。回転ロック機能に加えて、支持体２２０から光学構成要素が偶発的に外れる可能性をさらに低下させることが望ましい場合がある。このように、図２Ａ、図２Ｂ、図３Ａ、および図３Ｂに戻ると、偶発的な取り外しを防止する安全機構を設けることができる。図示の安全機構は支持体２２０上に設けられるボタン２８０を含み、そのボタン２８０は降着パッド２８２およびポストまたはピン２８４を含む。図３Ｂを参照すると、安全機構はさらに少なくとも１つの穴２８６を含み、その穴２８６は、レンズマウントアダプタ２２４およびレンズ２２５上でロックリング２４６の外周の背面／カメラサイド２３６に設けられる。穴２８６は、ポスト２８４を収容するように形状設定され、図のように、ロックリング２４６の背面／カメラサイド２３６のうちの固定支持プレート２４８の凹所のうちの１つによって露出される部分２８８に位置する。ここで図３Ａおよび図３Ｂを参照すると、ユーザがレンズマウントアダプタ２２４または他の光学構成要素のフランジ／凹所を支持体２２０の周縁部の対応するフランジ／凹所と位置合わせし、かつレンズマウントアダプタ２２４の位置合わせフランジ２２３を支持体２２０の位置合わせノッチ２２１と位置合わせし、レンズマウントアダプタ２２４を開口２２２に挿入するときには、支持体のポスト２８４とレンズマウントの穴２８６とは位置合わせされない。具体的には、ボタン２８０はばね仕掛けであり、ユーザがレンズマウントアダプタ２２４を挿入すると、ロックリング２４６の背面／カメラサイド２３６の部分２８８がポスト２８４に接触して、ポスト２８４を含むボタンが押される。ユーザがレンズマウントアダプタ２２４をポジティブにロックされる固着位置に回転させると、最後にポスト２８４は穴２８６と位置合わせされ、ばねはポスト２８４を穴２８６の中に延びるように押しやり、そうなると、レンズマウントアダプタ２２４の回転および偶発的な取り外しが防止される。ユーザがレンズマウントアダプタ２２４または他の光学構成要素を取り外したいときは、ユーザはボタンのパッド２８２を押してポスト２８４を穴２８６から後退させて、レンズマウントアダプタ２２４の回転および支持体２２０からの取り外しを可能にする。
【００４９】
レンズがレンズマウントアダプタ２２４から取り外されることが望ましくない場合もある。したがって、図２Ａに戻ると、レンズマウントアダプタ２２４は、レンズマウントアダプタ２２４からのレンズ（図示せず）の望ましくない取り外しを防止する安全機構を含むことができる。安全機構は、指降着パッド２９１を有するボタン２９０または他の制御部を含み、さらに、ばね仕掛けのポストまたはピン２９２を含む。ピン２９２は、レンズマウントアダプタ２２４の対応する凹部に摺動可能なように装着され、ここで、レンズマウントアダプタ２２４のフランジ前面２２７の孔が凹部までの開口部を画定する。ばねが緩んだ延在位置では、ピン２９２は凹部の開口部を越えて、前方フランジ面２２７を越えて延びる。上記のレンズマウントアダプタ２２４と支持体２２０との間の安全機構と同様に、ユーザがレンズマウントアダプタ２２４にレンズを挿入するときに、ポスト２９２は最初にレンズの背面フランジ面との接触によって押される。次いで、レンズを回転させた後で、レンズをレンズマウントアダプタ２２４に締結するために、ポスト２９２はレンズに設けられた孔と位置合わせされ、ばねはレンズの孔の中にポスト２９２を押しやり、そうなると、レンズの回転およびレンズマウントアダプタ２２４からのレンズの偶発的な取り外しが防止される。
【００５０】
図２Ａに示すボタン２９０はポスト２９２に連結されており、ユーザは、レンズを着脱したいときは、ボタン２９０の降着パッド２９１を押し下げて、孔からピン２９２を後退させる。最後に、ピン２９２は、レンズマウントアダプタ２２４の前方フランジ面２２７と面一になるかまたはそれに対して引っ込み、レンズの回転およびレンズマウントアダプタ２２４からの取り外しが可能になる。
【００５１】
図のように、ボタン２９０は、回転ロックリング２４６上に配置するか、または別の方法で連結することができる。例えば、ボタン２９０は、ロックリング２６４に形成される切欠き２５９（図６Ａ）に対して装着することができる。図６Ａに示すように、図示の実施形態の切欠き２５９は、ロックリング２４６の周縁部の前面（レンズサイド２３４）の縁部に形成され、ボタン２９０のサイズを収容しユーザによって押されるとボタン２９０の移動も可能になるように形状設定される。ロックリング２４６上にボタン２９０を含むかまたは別の手法でロックリング２４６にボタン２９０が連結されると、レンズマウントアダプタ２２４の積み重ね高を小さくすることが可能になり、対応する短縮された有効フランジ焦点距離が維持される。しかし、ロックリング２４６およびボタン２９０は移動可能であるがポスト２９２は固定されるので、ロッキングリング２４６が回転すると、ポスト２９２に対してボタン２９０が変位する。このことは、図７Ａ（ボタン２９０とポスト２９２とが位置合わせされる）および図７Ｂ（ボタン２９０とポスト２９２とが互いから変位する）に示す部分的なレンズマウントアダプタ２２４の図に示され、ここで、図示のためにロックリングは示さない。図７Ｃ〜図７Ｄはレンズマウントアダプタ２２４の安全機構の構成要素を示す。図のように、ポスト支持体２９３がポスト２９２を担持し、ばね２９５を収容する下側部分を有する。ポスト支持体２９３からボタン２９０の方向に隆起部２９５が延びる。ボタン２９０は独立したばね仕掛けであり、１対のばね２９７を収容する下側部分２９６を含む。ボタンのうちのロックリング２４６の中央を向く側面に切り込まれた溝２９８がある。
【００５２】
ボタン２９０とポスト支持体２９３とが位置合わせされる（図７Ａおよび図７Ｃ）ときは、ポスト支持体２９３の隆起部２９５はボタン２９０の溝２９８を摺動する。この位置合わせされた状態では、ユーザが降着パッド２９１を押し下げると、隆起部２９５の上面が溝２９５の上面の動きに干渉して、ポスト支持体２９３およびポスト２９２がボタン２９０と一緒に下に移動し、そうすることで、レンズの回転および取り外しが可能になる。一方、ロックリング２４６の回転によってボタン２９０とポスト支持体２９３とが位置合わせされないとき（図７Ｂ）は、ボタン２９０とポスト支持体２９３とは係合解除され、ボタン２９０を押し下げてもポスト２９２は移動しない。
【００５３】
図のように、ポスト２９２からボタン２９０を外すことを可能にすることによって、上記のリリース機構は移動可能なロックリング上へのボタン２９０の位置決めを可能にし、そうすることで、レンズマウントアダプタ２２４の小さい積み重ね高および本明細書に記載のフランジ焦点距離のいずれかとすることができる比較的短い有効フランジ焦点距離が維持される。ほんの２例であるが、こうしたリリース機構を組み込むレンズマウントアダプタは、フランジ焦点距離が約１８ｍｍのソニーのＥマウントインターフェースまたはフランジ焦点距離が約１９．２５ｍｍのマイクロ４／３レンズマウントインターフェースを実装することができる。
【００５４】
図示のピン２９２は円柱であるが、直角プリズムなど他の形状を使用することができる。一部の実装形態では、全てのピンが同じボタンに連結される場合、あるいはピンごとに別個のボタンが設けられる場合など、レンズマウントアダプタ２２４の前方フランジ面上にピンを複数含むことができる。
【００５５】
別の実施形態では、ボタンは、ロックリングおよびポストに対して図７Ａに示すのと同様の位置に配置される。しかし、ボタンは移動不能であり、その代わりに、ポストに貼付されるか、またはそうでなければ恒久的に連結される。本実施形態では、ロックリングの回転移動を可能にするために、細長い円弧状の切欠きがロックリングの一部分に沿って形成される。ボタンは、ロックリング２４６の回転中にボタンが切欠き内に留まりロックリング２４６にぶつからないように、切欠きに着座する。こうした構成の円弧状の切欠きは、ボタンにぶつかることなくロックリングがロック位置とロック解除位置との間で完全に回転できるのに十分な長さの円弧を有することができる。
【００５６】
追加の機能および実施形態
図８Ａは、撮像装置の光学系支持体２２０上の開口の別の実施形態から離間した光学構成要素２２５の別の実施形態の斜視図を示す。光学構成要素２２５は、例えば、レンズ、レンズマウント、またはレンズマウントアダプタとすることができる。図８Ｂは、図８Ａに示す光学系支持体２２０の正面図を示す。光学構成要素２２５は、図２Ａ〜図２Ｂ、図３Ａ〜図３Ｃ、および図６Ａ〜図６Ｄなどに関して、上記の同様の数の構成要素と同じまたは同様に機能する構成要素を含む。違いの１つは、図８Ａ〜図８Ｂに示す実施形態が６個ではなく４個の回転フランジ２３８、２４０、２４２、および２４４と、支持体の周縁部に対応する凹所２２８、２３０、２３４、２３６とを含むことである。さらに、図８Ａ〜図８Ｂの光学系支持体２２０上の位置合わせ機能２２１はフランジ２２１であり、光学構成要素２２５の固定プレート２４８上の対応する位置合わせ機能２２３はノッチであり、このことは、概して、これより前の図に示す位置合わせシステムの逆である。
【００５７】
図９は、本開示の実施形態によるデバイスの様々な追加の電子的態様および特性を示すブロック図である。例えば、上記の実施形態のハウジングは、様々な特性のいずれかを有する電子デバイスと共に利用することができ、以下は単なる例示であり、本発明を限定するものではない。可能性のある電子面の追加の詳細は、例えば、２０１４年２月２７日公開の米国特許出願公開第２０１４／００５５３９４号に見ることができ、その内容はその全体が本明細書に援用される。
【００５８】
図９を参照すると、実施形態による携帯電話または他のカメラ付きハンドヘルド電子デバイスなどの電子デバイス３００は、副通信モジュール３３０、コネクタ３６５およびイヤホン接続ジャック３６７などの外部接続デバイスを用いることによって、外部デバイスと接続することができる。電子デバイス３００は、例えば、図１Ａ〜図１Ｂの撮像装置１０２でよく、逆転ポジティブロック式マウンティングシステムのいずれかを含む本明細書に記載のマウンティングシステムのいずれかを実装するかまたはそれと共に使用されるように構成することができる。「外部デバイス（ｅｘｔｅｒｎａｌ  ｄｅｖｉｃｅ）」は、電子デバイスから着脱可能でありケーブルを介して電子デバイスに接続される、イヤホン、外部スピーカ、ユニバーサルシリアルバス（ＵＳＢ：Ｕｎｉｖｅｒｓａｌ  Ｓｅｒｉａｌ  Ｂｕｓ）メモリ、充電器、クレードル／ドック、デジタルマルチメディア放送（ＤＭＢ：Ｄｉｇｉｔａｌ  Ｍｕｌｔｉｍｅｄｉａ  Ｂｒｏａｄｃａｓｔｉｎｇ）アンテナ、支払関連の電子デバイス、ヘルスケアデバイス（例えば、血糖試験器）、ゲーム機、車両ナビゲーションなどの様々なデバイスを含むことができる。「外部デバイス」は、ＢＬＵＥＴＯＯＴＨ（登録商標）、つまり、ＢＬＵＥＴＯＯＴＨ  ＳＰＥＣＩＡＬ  ＩＮＴＥＲＥＳＴ  ＧＲＯＵＰ，  ＩＮＣ．から市販される２．４ＧＨｚ帯域の近距離無線通信技術、近距離通信（ＮＦＣ：Ｎｅａｒ  Ｆｉｅｌｄ  Ｃｏｍｍｕｎｉｃａｔｉｏｎ）などの近距離通信によって、電子デバイス３００に無線接続できる近距離通信デバイスと、ＷＩ−ＦＩ  ＤＩＲＥＣＴ、つまり、ＷＩ−ＦＩ  ＡＬＬＩＡＮＣＥから市販されるコンピュータネットワーク上のデータ交換のための無線技術、無線アクセスポイント（ＡＰ：Ａｃｃｅｓｓ  Ｐｏｉｎｔ）などを用いる通信デバイスとを含むこともできる。さらに、外部デバイスは、携帯電話、スマートフォン、タブレットＰＣ、デスクトップＰＣ、サーバなど任意の他のデバイスを含むことができる。
【００５９】
図９を参照すると、電子デバイス３００は、ディスプレイユニット３９０およびディスプレイコントローラ３９５を含む。電子デバイス３００は、コントローラ３１０、移動通信モジュール３２０、副通信モジュール３３０、マルチメディアモジュール３４０、カメラモジュール３５０、全地球測位システム（ＧＰＳ：Ｇｌｏｂａｌ  Ｐｏｓｉｔｉｏｎｉｎｇ  Ｓｙｓｔｅｍ）モジュール３５５、入力／出力モジュール３６０、センサモジュール３７０、記憶装置３７５および電力供給装置３８０も含む。副通信モジュール３３０は、無線ローカルエリアネットワーク（ＷＬＡＮ：Ｗｉｒｅｌｅｓｓ  Ｌｏｃａｌ  Ａｒｅａ  Ｎｅｔｗｏｒｋ）３３１および近距離通信モジュール３３２のうちの少なくとも１つを含み、マルチメディアモジュール３４０は、放送通信モジュール３４１、音声再生モジュール３４２および動画再生モジュール３４３のうちの少なくとも１つを含む。カメラモジュール３５０は、第１のカメラ３５１、第２のカメラ３５２、第３のカメラ３５３のうちの少なくとも１つを含み、入力／出力モジュール３６０は、ボタン３６１、マイクロフォン３６２、スピーカ３６３、振動モータ３６４、コネクタ３６５、およびキーパッド３６６のうちの少なくとも１つを含む。一部の実装形態では、第２のカメラ３５２および第３のカメラ３５３は、両方とも、３−Ｄのスチル写真撮影または動画ビデオ含む様々なタイプの写真用ツールならびに他のタイプの部材を収容するようにデバイス３００の背面に配設することができる。さらに、電子デバイス３００は１つまたは複数の照明３５４、３５６を含むことができる。
【００６０】
コントローラ３１０は、中央処理装置（ＣＰＵ：Ｃｅｎｔｒａｌ  Ｐｒｏｃｅｓｓｉｎｇ  Ｕｎｉｔ）３１１、電子デバイス３００を制御するためにオペレーティングシステム（ＯＳ：Ｏｐｅｒａｔｉｎｇ  Ｓｙｓｔｅｍ）などの制御プログラムを格納する読み出し専用メモリ（ＲＯＭ：Ｒｅａｄ  Ｏｎｌｙ  Ｍｅｍｏｒｙ）３１２、外部供給源から入力される信号またはデータを格納するためのまたは電子デバイス３００内の作業結果のメモリ空間として使用されるランダムアクセスメモリ（ＲＡＭ：Ｒａｎｄｏｍ  Ａｃｃｅｓｓ  Ｍｅｍｏｒｙ）３１３を含むことができる。ＣＰＵ３１１は、シングルコア、デュアルコア、トリプルコアまたはクアッドコアを含むことができる。ＣＰＵ３１１、ＲＯＭ３１２、およびＲＡＭ３１３は内部バスを介して互いに接続することができる。
【００６１】
コントローラ３１０は、移動通信モジュール３２０、副通信モジュール３３０、マルチメディアモジュール３４０、カメラモジュール３５０、ＧＰＳモジュール３５５、入力／出力モジュール３６０、センサモジュール３７０、記憶装置３７５、電力供給装置３８０、ディスプレイユニット３９０およびディスプレイコントローラ３９５を制御することができる。
【００６２】
移動通信モジュール３２０は、コントローラ３１０の制御下で、少なくとも１対１型アンテナまたは１対多型アンテナを用いる移動通信によって電子デバイス３００を外部デバイスに接続する。移動通信モジュール３２０は、音声通話、テレビ電話会議、ショートメッセージサービス（ＳＭＳ：Ｓｈｏｒｔ  Ｍｅｓｓａｇｅ  Ｓｅｒｖｉｃｅ）メッセージ、またはマルチメディアメッセージサービス（ＭＭＳ：Ｍｕｌｔｉｍｅｄｉａ  Ｍｅｓｓａｇｅ  Ｓｅｒｖｉｃｅ）メッセージのための無線信号を、携帯電話、スマートフォン、タブレットＰＣ、または別のデバイスに送信／から受信し、電話は電子デバイス３００に入れられる電話番号を有する。
【００６３】
副通信モジュール３３０は、ＷＬＡＮモジュール３３１および近距離通信モジュール３３２のうちの少なくとも１つを含むことができる。例えば、副通信モジュール３３０は、ＷＬＡＮモジュール３３１もしくは近距離通信モジュール３３２のいずれか、または両方を含むことができる。
【００６４】
ＷＬＡＮモジュール３３１は、コントローラ３１０の制御下で無線アクセスポイント（ＡＰ）がある場所でＩｎｔｅｒｎｅｔに接続することができる。ＷＬＡＮモジュール３３１は、ＷＬＡＮアメリカ電気電子通信学会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｘ規格をサポートする。近距離通信モジュール３３２は、コントローラ３１０の制御下で電子デバイス３００と画像記録デバイスとの間の近距離通信を実行することができる。近距離通信は、ＢＬＵＥＴＯＯＴＨ（登録商標）、つまり、ＢＬＵＥＴＯＯＴＨ  ＳＰＥＣＩＡＬ  ＩＮＴＥＲＥＳＴ  ＧＲＯＵＰ，  ＩＮＣ．から市販される２．４ＧＨｚ帯域の近距離無線通信技術、赤外線通信協会（ＩｒＤＡ：Ｉｎｆｒａｒｅｄ  Ｄａｔａ  Ａｓｓｏｃｉａｔｉｏｎ）、ＷＩ−ＦＩ  ＤＩＲＥＣＴ、ＷＩ−ＦＩ  ＡＬＬＩＡＮＣＥから市販されるコンピュータネットワーク上のデータ交換のための無線技術、ＮＦＣなどと互換性のある通信を含むことができる。
【００６５】
電子デバイス３００は、電子デバイス３００の性能要件に基づいて、移動通信モジュール３２０、ＷＬＡＮモジュール３３１および近距離通信モジュール３３２のうちの少なくとも１つを含むことができる。例えば、電子デバイス３００は、電子デバイス３００の性能要件に基づいて、移動通信モジュール３２０、ＷＬＡＮモジュール３３１および近距離通信モジュール３３２の組み合わせを含むことができる。
【００６６】
マルチメディアモジュール３４０は、放送通信モジュール３４１、音声再生モジュール３４２または動画再生モジュール３４３を含むことができる。放送通信モジュール３４１は、コントローラ３１０の制御下で、放送通信アンテナを通して放送局から送信される放送信号（例えば、テレビジョン放送信号、ラジオ放送信号またはデータ放送信号）および追加の放送情報（例えば、電子番組ガイド（ＥＰＧ：Ｅｌｅｃｔｒｉｃ  Ｐｒｏｇｒａｍ  Ｇｕｉｄｅ）または電子サービスガイド（ＥＳＧ：Ｅｌｅｃｔｒｉｃ  Ｓｅｒｖｉｃｅ  Ｇｕｉｄｅ）を受信することができる。音声再生モジュール３４２は、コントローラ３１０の制御下で格納または受信されるデジタルオーディオファイル（例えば、ｍｐ３、ｗｍａ、ｏｇｇまたはｗａｖなどの拡張子を有するファイル）を再生することができる。動画再生モジュール３４３は、コントローラ３１０の制御下で格納または受信されるデジタルビデオファイル（例えば、ｍｐｅｇ、ｍｐｇ、ｍｐ４、ａｖｉ、ｍｏｖまたはｍｋｖなどの拡張子を有するファイル）を再生することができる。動画再生モジュール３４３はデジタルオーディオファイルを再生することもできる。
【００６７】
マルチメディアモジュール３４０は、放送通信モジュール３４１を除いて、音声再生モジュール３４２および動画再生モジュール３４３を含むことができる。マルチメディアモジュール３４０の音声再生モジュール３４２または動画再生モジュール３４３をコントローラ３１０に含むことができる。
【００６８】
カメラモジュール３５０は、コントローラ３１０の制御下で、静止画像またはビデオ画像を取り込む第１のカメラ３５１および第２のカメラ３５２のうちの少なくとも１つを含むことができる。さらに、第１のカメラ３５１または第２のカメラ３５２は、画像を取り込むためのある量の光を供給する補助光源（例えば、フラッシュ）をそれぞれ含むことができる。第１のカメラ３５１は電子デバイス３００の前面に配置することができ、第２のカメラ３５２は電子デバイス３００の後面に配置することができる。あるいは、第１のカメラ３５１および第２のカメラ３５２は、３次元（３Ｄ）静止画像または３Ｄビデオ画像を取り込むように、互いに隣接するようにそれぞれ配置される（例えば、第１のカメラ３５１と第２のカメラ３５２との間の距離はそれぞれ１ｃｍから８ｃｍの範囲とすることができる）。例えば、第１のカメラ３５１および／または第２のカメラ３５２は、本明細書に記載の撮像装置およびマウンティングシステムのいずれかを備えることができ、本明細書に記載のマウンティングシステムまたはその適切な構成要素のいずれかを実装することができる。
【００６９】
ＧＰＳモジュール３５５は、地球周回軌道の複数のＧＰＳ衛星から無線信号を受信し、ＧＰＳ衛星から電子デバイス３００への到着時間を用いることによって電子デバイス３００の位置を算定することができる。
【００７０】
入力／出力モジュール３６０は、複数のボタン３６１、マイクロフォン３６２、スピーカ３６３、振動モータ３６４、コネクタ３６５およびキーパッド３６６のうちの少なくとも１つを含むことができる。
【００７１】
ボタン３６１のうちの少なくとも１つは、電子デバイス３００のハウジングの前面、側面または後面に配置することができ、電源／ロックボタン、音量ボタン、メニューボタン、ホームボタン、戻るボタンおよび検索ボタンのうちの少なくとも１つを含むことができる。
【００７２】
マイクロフォン３６２は、コントローラ３１０の制御下で、声または音を受信することによって電気信号を発生させる。
【００７３】
スピーカ３６３は、コントローラ３１０の制御下で、移動通信モジュール３２０、副通信モジュール３３０、マルチメディアモジュール３４０またはカメラモジュール３５０から様々な信号（例えば、無線信号、放送信号、デジタルオーディオファイル、デジタルビデオファイルまたは写真撮影信号）に対応する音を外部に出力することができる。スピーカ３６３は、電子デバイス３００によって行われる機能に対応する音（例えば、ボタン押し音または呼び出し音）を出力することができる。電子デバイス３００のハウジング上またはハウジング内の少なくとも１つの位置に１つまたは複数のスピーカ３６３を配置することができる。
【００７４】
振動モータ３６４は、コントローラ３１０の制御下で、電気信号を機械振動に変換することができる。例えば、振動モードの電子デバイス３００は、別のデバイスから音声呼び出しを受けるときに振動モータ３６４を動作させる。電子デバイス３００のハウジングの内側に少なくとも１つの振動モータ３６４があってよい。振動モータ３６４は、ディスプレイユニット３９０上のユーザのタッチ行為または連続するタッチに応答して動作することができる。
【００７５】
コネクタ３６５は、電子デバイス３００を外部のデバイスまたは電源に接続するインターフェースとして用いることができる。コントローラ３１０の制御下で、電子デバイス３００は、コネクタ３６５に接続されるケーブルを介して、電子デバイス３００の記憶装置３７５に格納されるデータを外部デバイスに送信するか、または外部デバイスからデータを受信することができる。さらに、電子デバイス３００は、コネクタ３６５に接続されるケーブルを介して電源から電力を受けることができるか、または電源を用いてバッテリを充電することができる。
【００７６】
キーパッド３６６は、電子デバイス３００を制御するためにユーザからキー入力を受信することができる。キーパッド３６６は、電子デバイス３００上に形成される機械キーパッドまたはディスプレイユニット３９０上に表示される仮想キーパッドを含む。電子デバイス３００に形成される機械キーパッドは、任意選択で、電子デバイス３００の性能要件または構造に応じて電子デバイス３００の実装形態から省略することができる。
【００７７】
イヤホン接続ジャック３６７にイヤホンを挿入することができ、したがって、そのイヤホンを電子デバイス３００に接続することができる。
【００７８】
電子デバイス３００にスタイラスペン３６８を挿入し、着脱可能なように保持することができ、そのスタイラスペン３６８を電子デバイス３００から抜き出し、取り外すことができる。
【００７９】
スタイラスペン３６８の取り付けおよび取り外しに応答して動作するペン着脱認識スイッチ３６９が、電子デバイス３００内のうちスタイラスペン３６８が着脱可能なように保持される領域に設けられ、スタイラスペン３６８の取り付けまたは取り外しに対応する信号をコントローラ３００に送る。ペン着脱認識スイッチ３６９は、スタイラスペン３６８がその領域に入ると、スタイラスペン３６８と直接的または間接的な接触を有することができる。ペン着脱認識スイッチ３６９は、直接的または間接的な接触に基づいてスタイラスペン３６８の取り付けまたは取り外しに対応する信号を発生させ、その信号をコントローラ３１０に供給する。
【００８０】
センサモジュール３７０は、電子デバイス３００の状態を検出するセンサを少なくとも１つ含む。例えば、センサモジュール３７０は、電子デバイス３００へのユーザの接近を検出する近接センサと、電子デバイス３００の周辺光の量を検出する照明センサと、電子デバイス３００のモーション（例えば、電子デバイス３００の回転、電子デバイス３００に加えられる加速または振動）を検出するモーションセンサと、地球磁場を用いてコンパスの向きを検出する地磁気センサと、重力の方向を検出する重力センサと、大気圧を測定することによって高度を検出する高度計とを含むことができる。少なくとも１つのセンサが、状態を検出し、対応する信号を発生させて、コントローラ３１０に送信することができる。センサモジュール３７０のセンサは、電子デバイス３００の性能要件に応じて追加または着脱することができる。
【００８１】
記憶装置３７５は、コントローラ３１０の制御下で、移動通信モジュール３２０、副通信モジュール３３０、マルチメディアモジュール３４０、カメラモジュール３５０、ＧＰＳモジュール、入力／出力モジュール３６０、センサモジュール３７０、ディスプレイユニット３９０によって入力／出力される信号またはデータを格納することができる。記憶装置３７５は、電子デバイス３００またはコントローラ３１０を制御するための制御プログラムおよびアプリケーションを格納することができる。
【００８２】
用語「記憶装置（ｓｔｏｒａｇｅ）」は、記憶装置３７５を指し、コントローラ３１０のＲＯＭ３１２、ＲＡＭ３１３、または電子デバイス３００にインストールされるメモリカード（例えば、セキュアデジタル（ＳＤ：Ｓｅｃｕｒｅ  Ｄｉｇｉｔａｌ）カード、メモリスティックなど）も指す。記憶装置は、不揮発性メモリ、揮発性メモリ、ハードディスクドライブ（ＨＤＤ：Ｈａｒｄ  Ｄｉｓｃ  Ｄｒｉｖｅ）、半導体ドライブ（ＳＳＤ：Ｓｏｌｉｄ  Ｓｔａｔｅ  Ｄｒｉｖｅ）などを含むこともできる。
【００８３】
電力供給装置３８０は、コントローラ３１０の制御下で、電子デバイス３００のハウジング内に配置される少なくとも１つのバッテリに電力を供給することができる。少なくとも１つのバッテリは電子デバイス３００に電力供給する。電力供給装置３８０は、コネクタ３６５に接続されるケーブルを介して外部電源から入力される電力を電子デバイス３００に供給することができる。電力供給装置３８０は、無線充電技術を用いて外部電源から無線電力を電子デバイス３００に供給することもできる。
【００８４】
ディスプレイコントローラ３９５は、コントローラ３１０によって処理される情報（例えば、電話、データ伝送、放送または撮影を行うために生み出される情報）を受信し、その情報をディスプレイユニット３９０上に表示されるデータに変換し、そのデータをディスプレイユニット３９０に供給する。ディスプレイユニット３９０は、ディスプレイコントローラ３９５から受信されるデータを表示する。例えば、通話モードでは、ディスプレイユニット３９０は、呼び出しに対するユーザインタフェース（ＵＩ：Ｕｓｅｒ  Ｉｎｔｅｒｆａｃｅ）またはグラフィックユーザインターフェース（ＧＵＩ：Ｇｒａｐｈｉｃ  Ｕｓｅｒ  Ｉｎｔｅｒｆａｃｅ）を表示することができる。ディスプレイユニット３９０は、液晶ディスプレイ、薄膜トランジスタ液晶ディスプレイ、有機発光ダイオード、フレキシブルディスプレイ、３Ｄディスプレイ、電気泳動ディスプレイなどのうちの少なくとも１つを含むことができる。
【００８５】
ディスプレイユニット３９０は、出力デバイスとして、さらに入力デバイスとしても使用することができ、後者の場合、タッチスクリーンとして動作するようにタッチスクリーンパネルを有することができる。ディスプレイユニット３９０は、ＵＩまたはＧＵＩへの少なくとも１つのタッチに対応するアナログ信号を、ディスプレイコントローラ３９５に送ることができる。ディスプレイユニット３９０は、ユーザの身体的接触による（例えば、親指を含む指による）、またはタッチ可能な入力デバイス（例えば、スタイラスペン）による少なくとも１つのタッチを検出することができる。ディスプレイユニット３９０は、少なくとも１つのタッチの中のタッチのドラッギングの動きを受信し、ディスプレイコントローラ３９５へのドラッギングの動きに対応するアナログ信号を送信することができる。ディスプレイユニット３９０は、例えば、抵抗法、静電容量法、赤外線法、音波法などで少なくとも１つのタッチを検出するように実装することができる。
【００８６】
用語「タッチ（ｔｏｕｃｈ）」は、ユーザの身体的な接触またはタッチ可能な入力デバイスを用いた接触による物理的なタッチに限定されるものではなく、タッチしない近接を含むこともできる（例えば、ディスプレイユニット３９０とユーザの身体またはタッチ可能な入力デバイスとの間で検出可能な距離を１ｍｍ未満に維持する）。ディスプレイユニット３９０から検出可能な距離は、電子デバイス３００の性能要件または電子デバイス３００の構造に応じて変更することができ、より具体的には、ディスプレイユニット３９０は、タッチ事象がユーザの身体またはタッチ可能な入力デバイスとの接触と、接触なしの入力（例えば、ホバリング事象）とによって起きたことを区別して検出するように、タッチ検出およびホバリング検出のための異なる値（例えば、電流値）を出力することができる。さらに、ディスプレイユニット３９０は、ホバリング事象が起きる位置からの距離に対してホバリング検出について異なる値（例えば、電流値）を出力することができる。
【００８７】
ディスプレイコントローラ３９５は、ディスプレイユニット３９０から受信するアナログ信号をデジタル信号（例えば、タッチパネルまたはディスプレイスクリーン上のＸＹ座標）に変換し、そのデジタル信号をコントローラ３１０に送信する。コントローラ３１０は、ディスプレイコントローラ３９５から受信するデジタル信号を使用することによってディスプレイユニット３９０を制御することができる。例えば、タッチ事象またはホバリング事象に応答して、コントローラ３１０は、ディスプレイユニット３９０上に表示されるショートカットアイコンを選択可能または実行可能にすることができる。ディスプレイコントローラ３９５は、コントローラ３１０に組み込むこともできる。
【００８８】
さらに、ディスプレイコントローラ３９５は、ディスプレイユニット３９０を通して出力される値（例えば、電流値）を検出することによってホバリング事象が起きる位置とディスプレイユニット３９０との間の距離を判定し、判定された（例えば、Ｚ座標による）距離をデジタル信号変換し、そのデジタル信号をコントローラ３１０に供給することができる。
【００８９】
さらに、実装形態に応じて、電子デバイス３００はディスプレイユニットを２つ以上有することができる。
【００９０】
ディスプレイユニット３９０は、ユーザの身体またはタッチ可能な入力デバイスによってタッチスクリーンパネルへのタッチまたは近接を検出して、ユーザの身体またはタッチ可能な入力デバイスによる入力を両方同時に受信するように、タッチスクリーンパネルを少なくとも２つ含むことができる。少なくとも２つのタッチスクリーンパネルは、ディスプレイコントローラ３９５に異なる出力値を供給し、ディスプレイコントローラ３９５は、少なくとも２つのタッチスクリーンパネルから入力される値を異なるように認識することによって、タッチスクリーンを通したユーザの身体による入力とタッチ可能な入力デバイスによる入力を見分けることができる。
【図１Ａ】
2018185538.tif 000003
【図１Ｂ】
2018185538.tif 000004
【図２Ａ】
2018185538.tif 000005
【図２Ｂ】
2018185538.tif 000006
【図３Ａ】
2018185538.tif 000007
【図３Ｂ】
2018185538.tif 000008
【図３Ｃ】
2018185538.tif 000009
【図４】
2018185538.tif 000010
【図５Ａ】
2018185538.tif 000011
【図５Ｂ】
2018185538.tif 000012
【図６Ａ】
2018185538.tif 000013
【図６Ｂ】
2018185538.tif 000014
【図６Ｃ】
2018185538.tif 000015
【図６Ｄ】
2018185538.tif 000016
【図６Ｅ】
2018185538.tif 000017
【図７Ａ】
2018185538.tif 000018
【図７Ｂ】
2018185538.tif 000019
【図７Ｃ】
2018185538.tif 000020
【図７Ｄ】
2018185538.tif 000021
【図８Ａ】
2018185538.tif 000022
【図８Ｂ】
2018185538.tif 000023
【図９】
2018185538.tif 000024
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
携帯電話機組立体であって、
第１の方向に面する前面を有するハウジングであって、前記前面は、タッチスクリーンを含む、ハウジングと、
前記ハウジングによって支持される携帯電話機電子部品と、
前記ハウジングによって支持される少なくとも１つのイメージセンサと、
前記ハウジングによって支持される背面であって、前記第１の方向とは反対の第２の方向に面する、背面と、
前記背面で規定されるソケットであって、中央開口を有し、レンズ又はレンズマウントアダプタと着脱可能に係合するように構成される、ソケットと、
を備え、
前記少なくとも１つのイメージセンサ、前記ソケット及び前記レンズマウントアダプタは、光路に沿って移動する光が、前記レンズマウントアダプタ及び前記ソケットの前記中央開口を通過して、前記少なくとも１つのイメージセンサへ移るように、位置合わせされる、
携帯電話機組立体。
【請求項２】
前記携帯電話機電子部品は、
無線信号を送受信するように構成されるモバイル通信モジュールと、
前記ハウジング内に閉じ込められ、マイクロフォン及びスピーカのうちの１以上を含む入力／出力モジュールと、
少なくとも前記モバイル通信モジュール、前記入力／出力モジュール及びタッチスクリーンを制御するように構成されるコントローラと、
を備える、請求項１に記載の携帯電話機組立体。
【請求項３】
前記ソケットは、ソケット前面と、ソケット背面と、前記ソケット前面と前記ソケット背面との間に延びる側壁と、を備え、前記側壁は、前記ソケットの深さを規定する、請求項１に記載の携帯電話機組立体。
【請求項４】
前記ソケットは、径方向内側に前記側壁から前記中央開口に延びる少なくとも２つの円弧状フランジを更に備え、各円弧状フランジは、前記ソケット前面から凹んだフランジ前面と、前記ソケット背面から凹んだフランジ背面と、を有する、請求項３に記載の携帯電話機組立体。
【請求項５】
前記ソケットは、前記ソケット前面からフランジ前面へ延びる前記側壁の前方部分によって規定される周縁部を有する光学要素着座凹部を備える、請求項３に記載の携帯電話機組立体。
【請求項６】
前記光学要素着座凹部の前記周縁部は、前記レンズ又は前記レンズマウントアダプタの対応する起伏のある周縁面を収容するように起伏がある、請求項５に記載の携帯電話機組立体。
【請求項７】
前記光学要素着座凹部の前記周縁部の起伏は、前記中央開口への前記レンズ又は前記レンズマウントアダプタの単一角度の挿入を可能にするように構成されるキーイング機能を含む、請求項６に記載の携帯電話機組立体。
【請求項８】
前記ソケットは、径方向内側に前記側壁から前記中央開口に延びる少なくとも４つの円弧状フランジを備える、請求項４に記載の携帯電話機組立体。
【請求項９】
前記少なくとも４つの円弧状フランジは、前記中央開口の周縁部に沿ってほぼ離間される、請求項８に記載の携帯電話機組立体。
【請求項１０】
前記少なくとも４つの円弧状フランジは、同じ数の介在する凹所によって前記中央開口の前記周縁部に沿って円周方向に離間される、請求項９に記載の携帯電話機組立体。
【請求項１１】
前記ソケットは、前記レンズ又は前記レンズマウントアダプタの単一角度の挿入を提供するように構成され、前記側壁上に設けられる位置合わせキーイング機能を更に備える、請求項３に記載の携帯電話機組立体。
【請求項１２】
前記ソケットは、前記ソケットへの前記レンズ又は前記レンズマウントアダプタの固着を助けるように構成される回転可能なロッキングリングもばねも含まない、請求項３に記載の携帯電話機組立体。
【請求項１３】
前記ソケットは、バヨネットスタイルマウントを実装しない、請求項３に記載の携帯電話機組立体。
【請求項１４】
前記ソケットは、前記レンズ又は前記レンズマウントアダプタの偶発的な取り外しを防止するように構成される安全機構を備える、請求項１に記載の携帯電話機組立体。
【請求項１５】
前記安全機構は、前記レンズ又は前記レンズマウントアダプタの対応する穴を収容するように構成されるボタン、降着パッド及びポストを備える、請求項１４に記載の携帯電話機組立体。
【請求項１６】
前記レンズ又は前記レンズマウントアダプタ上の対応する複数の電極と電気通信するように構成される前記背面上に複数の電極を更に備える、請求項１に記載の携帯電話機組立体。
【外国語明細書】
2018185538000001.pdf